(57)【要約】 【課題】  リサイクル性を向上した取り付け機構を有する、ＩＣタグを提供すること。【解決手段】  ＩＣタグ１に、略中央部に幅拡大部３を有するスリット２を設ける。このようなスリット２に、先端部分がＴ字型や鉤型の取り付けピン４を挿通することで、通常の使用状態では、取り付けピン４からＩＣタグ１が容易に抜け落ちないようにすることができる。また、取り付けピン４の挿通に際し、ＩＣタグ１が変形することがないので、ＩＣタグ１の耐久性、即ち、リサイクル性を向上することができる。【選択図】  図１
2005202531.tif 000002
【特許請求の範囲】
【請求項１】
略中央部分の幅が拡大されたスリットを有することを特徴とするＩＣタグ。
【発明の詳細な説明】
【技術分野】
【０００１】
本発明は、ＩＣタグに関するもので、特に、取り付け、取り外しを繰り返す用途に適したＩＣタグに関するものである。
【背景技術】
【０００２】
ＩＣチップとアンテナを内蔵し、カードリーダ、カードライターを介して情報の授受が可能なＩＣカードが実用化され、様々な分野で利用されている。この中でも、商品に取り付けて、商品管理に用いられる、いわゆるＩＣタグは、商品の販売の際に取り外して、別の商品に取り付ける、リサイクルが行われることがある。
【０００３】
このようなＩＣタグにおいては、商品に取り付けるために、何らかの機構が必要となる。特許文献１には、このような例として、粘着剤の層を付与したＩＣタグが開示されている。しかしながら、周知のように粘着剤は、貼り付けを繰り返すと、粘着剤層表面への異物の付着などにより、その効果を失うことが避けられない。
【０００４】
一方で、ＩＣタグを取り付けピンにより、商品などの対象物に取り付けることも行われている。図４は、取り付けピン用の貫通孔を有する、従来のＩＣタグの例を示す斜視図である。図４において、５はＩＣタグ、６は取り付けピン、７は取り付けピン用の貫通孔、８は貫通孔７とＩＣタグ５の辺を連通するための切り欠きである。
【０００５】
このようなＩＣタグ５においては、取り付けピン６を貫通孔７に挿通するために、切り欠き８の幅を広げる、つまり変形させる必要がある。その際の切り欠きを広げる量は、ＩＣタグ５の弾性限界を超えないようにするが、変形を繰り返すと、応力の緩和により、形状が元に戻らなくなることがある。また、ＩＣタグ５を変形させることが、ＩＣタグ５に内蔵されているＩＣチップ、アンテナなどの損傷に繋がることがある。
【０００６】
【特許文献１】特開２００２−３４２７２８号公報
【発明の開示】
【発明が解決しようとする課題】
【０００７】
前記のように、従来の技術によるＩＣタグの取り付け機構は、必ずしも繰り返しの使用、即ち、リサイクルに十分適応したものではなく、さらなる改善の余地があった。従って、本発明の課題は、リサイクル性を向上した取り付け機構を有する、ＩＣタグを提供することにある。
【課題を解決するための手段】
【０００８】
本発明のＩＣタグは、前記課題の解決のため、取り付けピンを挿通する貫通孔の、形状を再検討した結果なされたものであり、略中央部分の幅が拡大されたスリットを有することを特徴とする。
【発明の効果】
【０００９】
本発明のＩＣタグにおいては、取り付けピンをスリットに挿通し、スリットの中央部分に設けられた幅が拡大された部分に、取り付けピンを遊嵌させることが可能である。そして、取り付けピンを可撓性に富む材質で構成すると、スリットに挿通する際に、取り付けピンの方を、ある程度変形させることも可能となるので、挿通が容易となる。
【００１０】
従って、ＩＣタグの方をまったく変形させずに、取り付けピンにより、ＩＣタグを商品などに取り付けることが可能となる。しかも、取り外しは、取り付けと逆の手順で行えるので、取り付けと取り外しを繰り返しても、ＩＣタグ全体の変形や、内蔵するＩＣチップやアンテナなどに対する損傷を、極めて少なくすることができる。
【００１１】
このため、ＩＣタグの耐久性、即ちリサイクル性を向上させ、省資源、及びそれに伴う環境への負荷低減に寄与するとともに、結果的にＩＣタグの製造コストを低減することもできる。
【発明を実施するための最良の形態】
【００１２】
本発明のＩＣタグとしては、基本的に公知の構成のものを使用できる。ただし、スリットを設けることから、当該部分にＩＣチップやアンテナなどの内蔵部品を、配置しないように設計することが必要である。
【実施例１】
【００１３】
次に、具体的な実施例について、図を参照して説明する。
【００１４】
図１は、本発明のＩＣタグに、取り付けピンを挿通した状態を示す斜視図である。図１において、１はＩＣタグ、２はスリット、３は幅拡大部、４は取り付けピンを示す。本実施例のスリット２の断面形状は扁平な長方形であり、幅拡大部３は図における上の方向に設けられ、形状は半円である。
【００１５】
また、取り付けピン４は、図１に示したように、棒状の本体の先端部分に分岐が形成された、Ｔ字型の構成であり、棒状の本体の部分が幅拡大部３に、空隙を有する状態で嵌合する。ＩＣタグ１と取り付けピン４を、このような構成とすることで、ＩＣタグ１が吊り下げられた状態では、ＩＣタグ１が取り付けピン４から抜け落ちることは極めて少ない。
【００１６】
また、図２は、ＩＣタグ１のスリット２に、取り付けピン４を挿通する状態を示す斜視図である。取り付けピン４は、金属、プラスチックのいずれで構成するにしても、細い棒状であれば、ある程度の可撓性を有するので、図２に示したように、先端部を曲げた状態で挿通することができる。このような挿通方法を用いる場合は、スリット２の長さを、取り付けピン４の先端部よりも短くできるので、通常の使用状態では、ＩＣタグ１が取り付けピン４から抜け落ちることはない。
【００１７】
なお、本実施例では、取り付けピン４として、先端部分がＴ字型の例を示したが、先端部分の形状は、略直角に曲げたり、円弧状に曲げたりした、鉤型とすることも可能である。
【００１８】
また、スリットの形状としては、図１、図２に示した以外にも、種々の形状とすることが可能である。図３は、スリットの形状の例を示す図で、図３（ａ）は図における上側に半円形状の幅拡大部を設けた例、図３（ｂ）は上下に半円形状の幅拡大部を設けた例、図３（ｃ）は図における上側に四角形の幅拡大を設けた例、図３（ｄ）は図の上側に不定形の傾斜を有する幅拡大部を設けた例である。
【００１９】
図３において、２ａ、２ｂ、２ｃ、２ｄはスリット、３ａ、３ｂ、３ｃ、３ｄは幅拡大部を示す。これらのスリットの形状を、ＩＣタグの用途、取り付けピンの形状などにより、使い分けることができる。
【図面の簡単な説明】
【００２０】
【図１】本発明のＩＣタグに、取り付けピンを挿通した状態を示す斜視図。
【図２】ＩＣタグのスリットに取り付けピンを挿通する状態を示す斜視図。
【図３】スリットの形状の例を示す図。図３（ａ）は図における上側に半円形状の幅拡大部を設けた例。図３（ｂ）は上下に半円形状の幅拡大部を設けた例。図３（ｃ）は図における上側に四角形の幅拡大を設けた例。図３（ｄ）は図の上側に不定形の傾斜を有する幅拡大部を設けた例。
【図４】取り付けピン用の貫通孔を有する従来のＩＣタグの例を示す斜視図。
【符号の説明】
【００２１】
１，５    ＩＣタグ
２，２ａ，２ｂ，２ｃ，２ｄ    スリット
３，３ａ，３ｂ，３ｃ，３ｄ    幅拡大部
４，６    取り付けピン
７    貫通孔
８    切り欠き
【図１】
2005202531.tif 000003
【図２】
2005202531.tif 000004
【図３】
2005202531.tif 000005
【図４】
2005202531.tif 000006